(57)【要約】【目的】  利便性に優れた踏み台兼用の引出しを備えたキャビネットを提供すること。【構成】  引き出し限界を有する引出し（１）の上方に、レール（２）に沿って引出しと同様に出し入れされる踏み板（３）が設けられ、この踏み板は、引き出された際に、引出しの上部に載置されるとともに、引出しの引き出し限界において、前端が引出しの前板（６）の裏面に、後端がレールの前端部又はレールの前側に設けられる規制片の前端部にそれぞれ当接し、引出しの動きが規制される。【選択図】図１
2005034616.tif 000002
【特許請求の範囲】
【請求項１】
引き出し限界を有する引出しの上方に、レールに沿って引出しと同様に出し入れされる踏み板が設けられ、この踏み板は、引き出された際に、引出しの上部に載置されるとともに、引出しの引き出し限界において、前端が引出しの前板裏面に、後端が前記レールの前端部又は前記レールの前側に設けられる規制片の前端部にそれぞれ当接し、引出しの動きが規制されることを特徴とするキャビネット。
【請求項２】
踏み板の後端部を上方へ浮き上げる弾性機構が配設されている請求項１記載のキャビネット。
【請求項３】
弾性機構は、踏み板の後端部を上方へ浮き上げる際に抵抗を付加するダンパーを備えている請求項２記載のキャビネット。
【請求項４】
レール又は規制片の先端部がＲ状及び／又はテーパ状に形成されている請求項１乃至３いずれか１項に記載のキャビネット。
【請求項５】
レールは、前方に向かって低くなるように傾斜して配置されている請求項１乃至４いずれか１項に記載のキャビネット。
【請求項６】
踏み板の前端部において左右両側部の内側に、下方に突出する突片が設けられている請求項１乃至５いずれか１項に記載のキャビネット。
【請求項７】
突片は、踏み板の前端から後方に向かって逆ハの字状に配置されている請求項６記載のキャビネット。
【請求項８】
踏み板の左右両側縁全体に、下方にのびる垂下片が設けられている請求項１乃至７いずれか１項に記載のキャビネット。
【請求項９】
引出しはキャビネット本体の最下段に位置し、引出しの底部に支持手段が設けられている請求項１乃至８いずれか１項に記載のキャビネット。
【請求項１０】
支持手段として開閉自在な脚部が設けられ、開脚時に脚部は踏み板及び引出しに加わる荷重を受ける請求項９記載のキャビネット。
【請求項１１】
引出しを引き出し限界においてロックする磁石が設けられている請求項１乃至１０いずれか１項に記載のキャビネット。
【請求項１２】
弾性機構がキャビネット本体に配設され、弾性機構には、踏み板との間に介在する回転自在なローラが設けられている請求項２乃至１１いずれか１項に記載のキャビネット。
【請求項１３】
踏み板の下面部にローラガイドが設けられている請求項１２記載のキャビネット。
【請求項１４】
弾性機構が引出しの後端部に配設され、弾性機構には、踏み板との間に介在する回転自在なローラが設けられ、踏み板をガイドするレールの下面部にローラガイドが設けられている請求項２乃至１１いずれか１項に記載のキャビネット。
【請求項１５】
ローラは斜め外側に傾斜して配置され、踏み板をガイドするレールにローラが当接する傾斜面が形成されている請求項１４記載のキャビネット。
【請求項１６】
踏み板の引き出しにより引出しの上に位置する上部引出しをロックするストッパー機構が設けられた請求項１乃至１５いずれか１項に記載のキャビネット。
【請求項１７】
ストッパー機構は、前方に向かって低くなる傾斜面を有し、踏み板後端部に突設された当て部と、踏み台として使用する引出しと上部引出しの間に介設された地板部に設けられた、圧縮バネを備え、上下方向にのびる軸と、この軸と係合可能な上部引出しの底面に設けられた邪魔板とを備えている請求項１６記載のキャビネット。
【請求項１８】
当て部に溝が設けられ、踏み板を引き出したとき、その溝に軸が入り込む請求項１７記載のキャビネット。
【請求項１９】
ストッパー機構は、上下方向に回動する鉤部材と、鉤部材の回動軸を支承する回動自在な長穴部材と、踏み板後端部に突設された断面半円形の停止部材とを備えている請求項１６記載のキャビネット。
【請求項２０】
踏み板の引き出し完了時に、使用者に引き出し完了を伝える報知手段が設けられている請求項１乃至１９いずれかに記載のキャビネット。
【請求項２１】
踏み板を、引き出し、収納のいずれかの方向に付勢する付勢手段が設けられている請求項１乃至２０いずれか１項に記載のキャビネット。
【請求項２２】
付勢手段が傾斜するレールである請求項２１記載のキャビネット。
【請求項２３】
付勢手段がバネである請求項２１記載のキャビネット。
【発明の詳細な説明】
【技術分野】
【０００１】
この出願の発明は、キャビネットに関するものである。さらに詳しくは、この出願の発明は、利便性に優れた、踏み台兼用の引出しを備えたキャビネットに関するものである。
【背景技術】
【０００２】
踏み台を兼ねた引出しを備えたキャビネットが知られている（たとえば、非特許文献１参照）。
【非特許文献１】クリナップ株式会社、カタログ「クリンレディ」、2003年２月版、ｐ．２２
【発明の開示】
【発明が解決しようとする課題】
【０００３】
しかしながら、上記非特許文献１に記載されたキャビネットでは、引出しを引き出すたびに踏み板が引出しとともに出てくるため、収納物を出し入れする際には、引出しの蓋ともなっている踏み板を開閉する必要がある。また、引出しをキャビネット本体内に収納する際に、側部に設けられたロック機構を解除しなければならないという不都合さがある。
【０００４】
この出願の発明は、このような事情に鑑みてなされたものであり、利便性に優れた、踏み台兼用の引出しを備えたキャビネットを提供することを解決すべき課題としている。
【課題を解決するための手段】
【０００５】
この出願の発明は、上記の課題を解決するものとして、第１には、引き出し限界を有する引出しの上方に、レールに沿って引出しと同様に出し入れされる踏み板が設けられ、この踏み板は、引き出された際に、引出しの上部に載置されるとともに、引出しの引き出し限界において、前端が引出しの前板裏面に、後端が前記レールの前端部又は前記レールの前側に設けられる規制片の前端部にそれぞれ当接し、引出しの動きが規制されることを特徴とするキャビネットを提供する。
【０００６】
この出願の発明は、第２には、上記第１のキャビネットにおいて、踏み板の後端部を上方へ浮き上げる弾性機構が配設されているキャビネットを提供する。
【０００７】
この出願の発明は、第３には、上記第２のキャビネットにおいて、弾性機構は、踏み板の後端部を上方へ浮き上げる際に抵抗を付加するダンパーを備えているキャビネットを提供する。
【０００８】
この出願の発明は、第４には、上記第１乃至第３いずれかの１つのキャビネットにおいて、レール又は規制片の先端部がＲ状及び／又はテーパ状に形成されているキャビネットを提供する。
【０００９】
この出願の発明は、第５には、上記第１乃至第４いずれか１つのキャビネットにおいて、レールは、前方に向かって低くなるように傾斜して配置されているキャビネットを提供する。
【００１０】
この出願の発明は、第６には、上記第１乃至第５いずれか１つのキャビネットにおいて、踏み板の前端部において左右両側部の内側に、下方に突出する突片が設けられているキャビネットを提供する。
【００１１】
この出願の発明は、第７には、上記第６のキャビネットにおいて、突片は、踏み板の前端から後方に向かって逆ハの字状に配置されているキャビネットを提供する。
【００１２】
この出願の発明は、第８には、上記第１乃至第７いずれか１つのキャビネットにおいて、踏み板の左右両側縁全体に、下方にのびる垂下片が設けられているキャビネットを提供する。
【００１３】
この出願の発明は、第９には、上記第１乃至第８いずれかの１つのキャビネットにおいて、引出しはキャビネット本体の最下段に位置し、引出しの底部に支持手段が設けられているキャビネットを提供する。
【００１４】
この出願の発明は、第１０には、上記第９のキャビネットにおいて、支持手段として開閉自在な脚部が設けられ、開脚時に脚部は踏み板及び引出しに加わる荷重を受けるキャビネットを提供する。
【００１５】
この出願の発明は、第１１には、上記第１乃至第１０いずれか１つのキャビネットにおいて、引出しを引き出し限界においてロックする磁石が設けられているキャビネットを提供する。
【００１６】
この出願の発明は、第１２には、上記第２乃至第１１いずれか１つのキャビネットにおいて、弾性機構がキャビネット本体に配設され、弾性機構には、踏み板との間に介在する回転自在なローラが設けられているキャビネットを提供する。
【００１７】
この出願の発明は、第１３には、上記第１２のキャビネットにおいて、踏み板の下面部にローラガイドが設けられているキャビネットを提供する。
【００１８】
この出願の発明は、第１４には、上記第２乃至１１いずれか１つのキャビネットにおいて、弾性機構が引出しの後端部に配設され、弾性機構には、踏み板との間に介在する回転自在なローラが設けられ、踏み板をガイドするレールの下面部にローラガイドが設けられているキャビネットを提供する。
【００１９】
この出願の発明は、第１５には、上記第１４のキャビネットにおいて、ローラは斜め外側に傾斜して配置され、踏み板をガイドするレールにローラが当接する傾斜面が形成されているキャビネットを提供する。
【００２０】
この出願の発明は、第１６には、上記第１乃至第１５いずれか１つのキャビネットにおいて、踏み板の引き出しにより引出しの上に位置する上部引出しをロックするストッパー機構が設けられたキャビネットを提供する。
【００２１】
この出願の発明は、第１７には、上記第１６のキャビネットにおいて、ストッパー機構は、前方に向かって低くなる傾斜面を有し、踏み板後端部に突設された当て部と、踏み台として使用する引出しと上部引出しの間に介設された地板部に設けられた、圧縮バネを備え、上下方向にのびる軸と、この軸と係合可能な上部引出しの底面に設けられた邪魔板とを備えているキャビネットを提供する。
【００２２】
この出願の発明は、第１８には、上記第１７のキャビネットにおいて、当て部に溝が設けられ、踏み板を引き出したとき、その溝に軸が入り込むキャビネットを提供する。
【００２３】
この出願の発明は、第１９には、上記第１６のキャビネットにおいて、ストッパー機構は、上下方向に回動する鉤部材と、鉤部材の回動軸を支承する回動自在な長穴部材と、踏み板後端部に突設された断面半円形の停止部材とを備えているキャビネットを提供する。
【００２４】
この出願の発明は、第２０には、上記第１乃至第１９いずれか１つのキャビネットにおいて、踏み板の引き出し完了時に、使用者に引き出し完了を伝える報知手段が設けられているキャビネットを提供する。
【００２５】
この出願の発明は、第２１には、上記第１乃至第２０いずれか１つのキャビネットにおいて、踏み板を、引き出し、収納のいずれかの方向に付勢する付勢手段が設けられているキャビネットを提供する。
【００２６】
この出願の発明は、第２２には、上記第２１のキャビネットにおいて、付勢手段が傾斜するレールであるキャビネットを提供する。
【００２７】
この出願の発明は、第２３には、上記第２１のキャビネットにおいて、付勢手段がバネであるキャビネットを提供する。
【発明の効果】
【００２８】
この出願の発明の第１のキャビネットによれば、踏み台兼用の引出しを備えたキャビネットが利便性に優れたものとなる。
【００２９】
この出願の発明の第２のキャビネットによれば、踏み板をキャビネット本体にしまうとき、後端部がレールに載りやすくなる。
【００３０】
この出願の発明の第３のキャビネットによれば、踏み板の後端部が急激に上昇するのが抑制される。
【００３１】
この出願の発明の第４のキャビネットによれば、踏み板が完全に引き出されていない状態で下方に荷重がかかるとき、踏み板の後端部が滑り、引出しをロック状態にすることができる。
【００３２】
この出願の発明の第５のキャビネットによれば、スムーズな踏み板の引き出しが可能となる。
【００３３】
この出願の発明の第６のキャビネットによれば、引出しの引き出しの終わり間際に突片が引出しに接触し、踏み板を前方に少し移動させることができ、踏み板の引き出し作業が容易となる。
【００３４】
この出願の発明の第７のキャビネットによれば、レールとの干渉を避けることができる。
【００３５】
この出願の発明の第８のキャビネットによれば、踏み板の左右のずれが抑制され、踏み板の出し入れをスムーズにするとともに、踏み台としての見栄えが良好となる。
【００３６】
この出願の発明の第９、１０のキャビネットによれば、荷重を十分に受けることができる。
【００３７】
この出願の発明の第１１のキャビネットによれば、使用者が、磁石による吸着によってクリック感を感じ、引出しが引き出し限界にあることを認識することができる。
【００３８】
この出願の発明の第１２のキャビネットによれば、踏み板の出し入れ作業が容易となる。
【００３９】
この出願の発明の第１３のキャビネットによれば、踏み板の出し入れの際の横揺れを抑制することができる。
【００４０】
この出願の発明の第１４のキャビネットによれば、引出しの出し入れがガイドされる。
【００４１】
この出願の発明の第１５のキャビネットによれば、引出しが上下左右にバランスがとれて移動し、出し入れにガタツキがなく、スムーズとなる。
【００４２】
この出願の発明の第１６、１７のキャビネットによれば、上部引出しをロックすることができ、安全となる。
【００４３】
この出願の発明の第１８のキャビネットによれば、踏み板を引き出すときにクリック感が得られ、引出し寸法が適当であるかどうかを使用者に判断させることができる。
【００４４】
この出願の発明の第１９のキャビネットによれば、上部引出しをロックすることができ、安全となる。
【００４５】
この出願の発明の第２０のキャビネットによれば、踏み台として使用する際に、引出しが未ロックのままとされることがない。
【００４６】
この出願の発明の第２１、２２、２３のキャビネットによれば、引出しのロック状態をより確実に得ることができる。
【発明を実施するための最良の形態】
【００４７】
以下、図面に沿ってこの出願の発明のキャビネットについてさらに詳しく説明する。
【００４８】
図１は、この出願の発明のキャビネットの概要を示した略断面図である。
【００４９】
たとえば図１に示したように、この出願の発明のキャビネットでは、引き出し限界を有する引出し（１）の上方に、レール（２）に沿って引出し（１）と同様に出し入れされる踏み板（３）が設けられている。引出し（１）は、キャビネット本体（４）と引出し用レール（５）を介して連結することができ、前方へ一定幅引き出したとき、それ以上は引き出すことのできない上記のとおりの引き出し限界を有する。踏み板（３）は、引き出された際に、図２に示したように、引出し（１）の上部に載置されるとともに、引出し（１）の引き出し限界において、前端が引出し（１）の前板（６）の裏面に、後端がレール（２）の前端部（７）又はレール（２）の前側に設けられる規制片の前端部にそれぞれ当接する。引出し（１）は引き出し限界に位置するため、踏み板（３）の上記当接により引出し（１）の動きが規制される。引出し（１）は、この状態では前後に移動することができず、ロック状態となる。したがって、踏み台として安全に使用することができる。踏み台として使用した後には、踏み板（３）をキャビネット本体（４）にしまうことで引出し（１）の収納が可能となる。
【００５０】
このように、この出願の発明のキャビネットでは、従来のキャビネットと異なり、引出し（１）を引き出すたびに踏み板（３）が引出し（１）の上部に載置された状態で出てくるのではなく、引出し（１）は、踏み板（３）と個別に引き出し可能である。踏み台として使用する際に踏み板（３）を引き出せばよい。収納物の出し入れの際には、引出し（１）のみを引き出すことができ、収納物の出し入れに踏み板（３）が邪魔になることはない。また、引出し（１）をキャビネット本体（４）内に収納する際には、踏み板（３）をキャビネット本体（４）に収納するだけですむため、簡便に引出し（１）の収納を行うことができる。この出願の発明のキャビネットは利便性において従来のキャビネットより優れている。
【００５１】
また、この出願の発明のキャビネットでは、図３に示したように、踏み板（３）の後端部を上方へ浮き上げる弾性機構（８）を配設することができる。弾性機構（８）は、引出し（１）、踏み板（３）、キャビネット本体（４）等に設けることができる。弾性機構（８）を引出し（１）又は踏み板（３）に設ける場合には、それぞれの後端部に配設する。この弾性機構（８）の配設により、踏み板（３）をキャビネット本体（４）にしまうとき、後端部がレール（２）に載りやすくなり、持ち上げずにすむ。また、踏み板（３）を引出し（１）の上部に載置されたままの状態で引出し（１）とともにキャビネット本体（４）内にしまうこともできる。
【００５２】
なお、踏み板（３）の後端部が、図３に示したように、上方へ浮き上がっている状態では、踏み板（３）は、上述した突っ張りの役目を果たさないが、踏み板（３）に人が乗ると踏み板（３）の後端部が押し下げられるため、図２に示したように、踏み板（３）の後端がレール（２）の前端部（７）又はレール（２）の前側に設けられる規制片の前端部に当接し、また、踏み板（３）の前端が引出し（１）の前板（６）の裏面に当接して、突っ張りの役目を果たす。ロック状態となり、踏み台として安全に使用することができる。
【００５３】
弾性機構（８）は、バネ等を備えたものとすることができる。具体的には、たとえば図４に示したようなダンパー（９）を備えたものとすることができる。図４に示した弾性機構（８）ではバネ（１０）にダンパー（９）が接続されている。この弾性機構（８）では、図４＜ａ＞に示したように、踏み板（３）に人が乗ると、ダンパー（９）が伸びる一方、バネ（１０）は縮み、踏み板（３）の後端部は下方に移動する。踏み板（３）から人が降りると、図４＜ｂ＞に示したように、バネ（１０）は上方へ伸び、ダンパー（９）は縮む。このとき、踏み板（３）の後端部の上方への移動には抵抗がかかるようになり、急激に上昇するのが抑えられる。引出し（１）のロック状態がある一定時間保持される。保持時間としては、踏み板（３）から降り、踏み板（３）や引出し（１）をしまうのに不便とはならない２秒間ぐらいとすることができる。
【００５４】
レール（２）又は規制片については、たとえば図５に示したように、先端部にＲ形状部（１１）及び／又はテーパ形状部（１２）を形成することができる。このＲ形状部（１１）及び／又はテーパ形状部（１２）によって、踏み板（３）が完全に引き出されていない状態で人が踏み板（３）に乗る等して踏み板（３）に下方に荷重がかかるとき、踏み板（３）の後端部がＲ形状部（１１）及び／又はテーパ形状部（１２）の表面を滑り、引出し（１）の上部において前板（６）とレール（２）又は規制片との間に配置され、引出し（１）をロック状態にすることができる。踏み台としての使用の安全性が高められる。
【００５５】
また、レール（２）については、図６に示したように、前方に向かって低くなるように傾斜して配置することもできる。レール（２）が水平であると、踏み板（３）を引き出したとき、ある時点で踏み板（３）が自重により傾いて引出し（１）の上部に衝突することになり、衝撃音が発生したり、踏み板（３）の引き出しがスムーズに行われなかったりする。一方、レール（２）が、キャビネット本体（４）の背面側から前方に向かって低くなるように傾斜して配置されると、踏み板（３）は、引き出す際に、自重により傾くことはなく、がたつきが生じず、自然に引出し（１）の上部に当接する。スムーズな踏み板（３）の引き出しが可能となる。
【００５６】
踏み板（３）には、図７＜ａ＞＜ｂ＞＜ｃ＞に示したように、前端部における左右両側部の内側に、下方に突出する突片（１３）を設けることができる。この突片（１３）は、引出し（１）を引き出す際に、引き出しの終わり間際に引出し（１）に接触し、踏み板（３）を前方に少し移動させる。前方に少し突出する踏み板（３）の前端部を手掛かりとすることができ、踏み板（３）の引き出し作業が容易となる。このような突片（１３）は、たとえば図７＜ｃ＞に示したような断面Ｌ字型の折れ片とすることができる。また、突片（１３）は、レール（２）と干渉することがないように、図８に示したように、踏み板（３）の前端から後方に向かって逆ハの字状に配置されたものとすることができる。
【００５７】
また、踏み板（３）には、図９に示したように、左右両側縁全体に下方にのびる垂下片（１４）を設けることもできる。垂下片（１４）は、踏み板（３）を引き出すときに、引出し（１）の左右の側板（１５）の上端部に接触若しくは少し外側に位置するように配置される。この垂下片（１４）によって、引出し（１）を踏み台として使用する際、踏み板（３）が左右にずれるのが抑制され、踏み台としての安全性が向上する。また、垂下片（１４）は、レール（２）上に乗ることができ、踏み板（３）の出し入れをスムーズにする。さらに、垂下片（１４）は、引出し（１）を踏み台として使用する際に、引出し（１）の上端部側面を覆い隠すことができ、引出し（１）内の収納物が外部から見えなくなり、踏み台としての見栄えを良好にする。
【００５８】
引出し（１）については、図示されているように、キャビネット本体（４）の最下段に位置するものとすることができ、この場合、引出し（１）の底部には支持手段（１６）を設けることができる。引出し（１）の底部の支持手段（１６）は、荷重受けとして機能するものであり、たとえばキャスター、レール、脚部等が例示される。キャスターを採用する場合には、引出し（１）を踏み台として使用する際に左右に揺れることがないように、引出し（１）の出し入れ方向にのみ移動し、左右には振れないものを選択することが好ましい。また、図１０及び図１１に示したように、支持手段（１６）として開閉自在な脚部（１７）を採用する場合、脚部（１７）は、引出し（１）を踏み台として使用する際に、図１１に示したように、開脚することができ、通常は、引出し（１）の出し入れを邪魔することのないように、図１０に示したような閉じた状態とすることができるものとすることができる。脚部（１７）の開脚度は９０°より大きく、たとえば120°とすることができ、踏み板（３）に人が乗ったときに容易に閉じてしまうことなく、安全に支持することができる開脚度とするのが好ましい。
【００５９】
また、この出願の発明のキャビネットでは、踏み台として使用するときの安全性を考慮し、引出し（１）が引き出し限界においてロックされるように磁石を設けることができる。引出し（１）を引き出しきったときに磁石が働くように、引出し（１）、キャビネット本体（４）等の適所に磁石を配設し、磁力により引出し（１）の移動を抑制する。このようにすることで、使用者は引出し（１）を引き出したときに、磁石による吸着によってクリック感を感じ、引出し（１）が引き出し限界にあることを認識することができる。そして、安心して踏み板（３）を引き出すことができ、踏み板（３）を所定の位置に引き出し、踏み台として安全に使用することができる。
【００６０】
さらに、この出願の発明のキャビネットでは、図１２及び図１３に示したように、キャビネット本体（４）に弾性機構（８）を配設することができ、弾性機構（８）には、踏み板（３）との間に介在する回転自在なローラ（１８）を設けることができる。ローラ（１８）は、踏み板（３）の出し入れの際に回転する。このため、踏み板（３）の出し入れ操作が容易となる。踏み板（３）の下面部には、図１４＜ａ＞＜ｂ＞に示したようなローラガイド（１９）を設けることができ、踏み板（３）の出し入れの際の横揺れを抑制することができる。ローラガイド（１９）には、図１４＜ａ＞に示したような突出するもの、図１４＜ｂ＞に示したような溝状のもの等の各種のものとすることができる。
【００６１】
また、図１５に示したように、踏み板（３）との間に介在する回転自在なローラ（１８）が設けられた弾性機構（８）は、引出し（１）の後端部に配設することもできる。この場合、踏み板（３）をガイドするレール（２）の下面部にローラガイド（１９）を設けることができ、このローラガイド（１９）を引出し（１）を出し入れする際のガイドとして機能させることができる。また、ローラ（１８）は、図１６に示したように、斜め外側に傾斜して配置することもできる。この場合、踏み板（３）をガイドするレール（２）にはローラ（１８）が当接するように、傾斜面（２０）を配設することができる。図１６に示したキャビネットでは、引出し（１）は、レール（２）の傾斜面（２０）にローラ（１８）がガイドされて出し入れされるため、上下左右にバランスがとれて移動し、出し入れにがたつきがなく、スムーズとなる。
【００６２】
また、この出願の発明のキャビネットでは、踏み台として使う引出し（１）の上に引出しが配設された場合、上部引出しが引き出されることにより、踏み台上に乗った人の足指を詰めることのないように、上部引出しをロックするストッパー機構を備えることができる。このストッパー機構は、踏み板（３）の引き出しにより上部引出しをロックする。
【００６３】
具体的には、図１７及びその要部拡大略断面図である図１８に示したように、ストッパー機構は、前方に向かって低くなる傾斜面（２１）を有し、踏み板（３）の後端部に突設された当て部（２２）と、踏み台として使用する引出しと上部引出し（２３）の間に介設された地板部（２４）に設けられた、圧縮バネ（２５）を備え、上下方向に延びる軸（２６）と、軸（２６）と係合可能な上部引出し（２３）の底面に設けられた邪魔板（２７）とを備える。このストッパー機構は次のように作動する。
【００６４】
踏み板（３）を引き出すと、軸（２６）が、踏み板（３）の後端部に設けられた当て部（２２）の傾斜面（２１）に沿って上方へ移動し、上端部が邪魔板（２７）と係合する。この係合により上部引き出し（２３）はロックされ、引き出し不能となる。上記のストッパー機構では、好ましくは、図１９に示したように、当て部（２２）に溝（２８）が設けられ、踏み板（３）を引き出したとき、軸（２６）が溝（２８）に入り込むようにする。こうすることにより、踏み板（３）を引き出すときにクリック感が得られ、踏み板（３）の引き出し寸法が適当であるかどうかを使用者に判断させることができる。
【００６５】
また、ストッパー機構は、図２０に示したように、上下方向に回動する鉤部材（２９）と、鉤部材（２９）の回動軸を支承する回動自在な長穴部材（３０）と、踏み板（３）の後端部に突設された断面半円形の停止部材（３１）とを備えているものとすることができる。
【００６６】
このストッパー機構では、図２１に示したように、踏み板（３）を引き出すと、まず、その先端が鉤部材（２９）に後方より接触し、鉤部材（２９）を上方に向けて回動させる。次いで停止部材（３１）が後方より長穴部材（３０）に接触し、長穴部材（３０）を上下反転させる。この状態では、鉤部材（２９）の反転は不能とされ、鉤部材（２９）は上部引出し（２３）に接触してロックし、上部引出し（２３）の引き出しを不能とする。
【００６７】
さらに、この出願の発明のキャビネットでは、踏み板（３）の引き出し完了時に引き出し完了を使用者に伝える報知手段を設けることができる。踏み台として使用する際に、踏み板（３）が不完全に引き出され、引出し（１）が未ロックのままとされることのないようにし、踏み板（３）から人が落ちたりする等を未然に防止する。
【００６８】
具体的には、たとえば図２２に示したように、キャビネット本体（４）の前端部に磁石（３２）を、踏み板（３）の後端に磁性片（３３）をそれぞれ配設する。この場合、踏み板（３）の引き出し完了時には、磁石（３２）に磁性片（３３）が吸着され、そのときに発する音を報知音とすることができる。なお、磁石（３２）と磁性片（３３）の配設は上記と逆にすることができる。このように報知音を発生させる方式としては、この他に、キャビネット本体（４）の前端部と踏み板（３）の後端部にバネ片を設けたものとすることができる。この場合には、バネ片の接触によるはね返り音を報知音とすることができる。また、たとえば図２３に示したように、キャビネット本体（４）の前端部にリードスイッチ（３４）を、踏み板（３）の後端部に磁石（３５）を配設する方式を採用することもできる。この場合には、リードスイッチ（３４）に磁石（３５）が到達するときに報知音を発生させることができる。
【００６９】
そして、この出願の発明のキャビネットでは、踏み板（３）がより確実に引出し（１）の前板（６）とレール（２）又は規制片との間に配置され、引出し（１）のロック状態が得られるように、踏み板（３）を引き出し、収納のいずれかの方向に付勢する付勢手段を設けることができる。
【００７０】
付勢手段としては、傾斜するレール（２）やバネ等が考えられる。
【００７１】
傾斜するレール（２）とする場合には、たとえば図２４に示したように、前方に向かって低くなるレール（２）とすることができる。踏み板（３）は、レール（２）に沿って移動するため、レール（２）が前方に向かって低くなっていると、引き出し方向に付勢されることになる。踏み板（３）の前後両端部にコロ（３６）を配設することにより、踏み板（３）は、引出し（１）の上部を滑って降り、引出し（１）がロックされる位置にまで、すなわち、引出し（１）の前板（６）とレール（２）又は規制片との間に自動的に移動する。なお、この場合、踏み板（３）が不用意に引き出されることのないように、踏み板（３）の後端部とキャビネット本体（４）にはマグネットキャッチ（３７）等の保持手段を設けるのが好ましい。
【００７２】
また、傾斜するレール（２）は、図２５に示したように、後方に向かって低くなるものとすることができる。この場合には、踏み板（３）は収納方向に付勢されるため、引出し（１）のロック位置にまで踏み板（３）を引き出さなくてはならなくなる。したがって、踏み板（３）は、引出し（１）がロックされるまで確実に引き出される。
【００７３】
付勢手段としてバネを用いる場合は次のとおりとなる。
【００７４】
図２６に示したように、バネ（３８）のバネ力が踏み板（３）を引き出す方向に作用するようにする。この場合、踏み板（３）は、バネ力を受けて前方に引き出され、引出し（１）のロック位置にまで自動的に移動する。なお、この場合にも、踏み板（３）が不用意に引き出されることのないように、引出し（１）の後端部とキャビネット本体（４）の後端部にはマグネットキャッチ（３７）等の保持手段を設けるのが好ましい。
【００７５】
あるいは、図２７に示したように、バネ（３８）のバネ力が踏み板（３）を収納する方向に作用するようにする。踏み板（３）は収納方向に付勢されるため、引出し（１）のロック位置にまで踏み板（３）を引き出さなくてはならなくなる。したがって、引出し（１）がロックされるまでは、確実に踏み板（３）は引き出されることになる。
【００７６】
もちろん、この出願の発明は、以上の実施形態によって限定されるものではない。細部については様々な態様が可能であることはいうまでもない。
【産業上の利用可能性】
【００７７】
以上詳しく説明したとおり、この出願の発明によって、利便性に優れた、踏み台兼用の引出しを備えたキャビネットが提供される。
【図面の簡単な説明】
【００７８】
【図１】この出願の発明のキャビネットの概要を示した略断面図である。
【図２】この出願の発明のキャビネットにおいて引出しを踏み台とする際の状態を示した略断面図である。
【図３】この出願の発明のキャビネットにおいて弾性機構が設けられる場合について例示した略断面図である。
【図４】＜ａ＞＜ｂ＞は、それぞれ、弾性機構の一形態とその動作について示した概要図である。
【図５】レール又は規制片の一形態を踏み板とともに示した要部拡大断面図である。
【図６】レールの配置形態の一例を示した要部略断面図である。
【図７】＜ａ＞＜ｂ＞＜ｃ＞は、それぞれ、この出願の発明のキャビネットにおいて踏み板に突片が設けられる場合の一形態を示した要部裏面図、略断面図、略正面図である。
【図８】突片の配置形態の一例を示した要部裏面図である。
【図９】この出願の発明のキャビネットにおいて垂下片が設けられる場合の一形態を示した略正面図である。
【図１０】この出願の発明のキャビネットにおいて支持手段として脚部が設けられるの一形態を示した略正面図である。
【図１１】図１０に示したキャビネットにおいて脚部が開脚された状態を示した略断面図である。
【図１２】この出願の発明のキャビネットにおいてローラが設けられる場合の概要を示した要部断面図である。
【図１３】図１２に示したキャビネットの要部の略正面図である。
【図１４】＜ａ＞＜ｂ＞は、それぞれ、ローラガイドを設ける場合の一形態を示した要部断面図である。
【図１５】この出願の発明のキャビネットにおいてローラが設けられる場合の一形態を示した略正面図である。
【図１６】この出願の発明のキャビネットにおいてローラが設けられる場合の一形態を示した略正面図である。
【図１７】この出願の発明のキャビネットにおいてストッパー機構が設けられる一形態を示した略断面図である。
【図１８】図１７に示したストッパー機構の要部拡大略断面図である。
【図１９】ストッパー機構の一形態を示した要部拡大略断面図である。
【図２０】ストッパー機構の一形態を示した側面図である。
【図２１】図２０に示したストッパー機構の動作を示した要部拡大側面図である。
【図２２】この出願の発明のキャビネットにおいて報知手段が設けられる場合の一形態を示した要部裏面図である。
【図２３】この出願の発明のキャビネットにおいて報知手段が設けられる場合の一形態を示した要部裏面図である。
【図２４】この出願の発明のキャビネットにおいて踏み板の付勢手段が設けられる場合の一形態を示した略断面図である。
【図２５】この出願の発明のキャビネットにおいて踏み板の付勢手段が設けられる場合の一形態を示した略断面図である。
【図２６】この出願の発明のキャビネットにおいて踏み板の付勢手段が設けられる場合の一形態を示した要部裏面図である。
【図２７】この出願の発明のキャビネットにおいて踏み板の付勢手段が設けられる場合の一形態を示した要部裏面図である。
【符号の説明】
【００７９】
１    引出し
２    レール
３    踏み板
４    キャビネット本体
５    引出し用レール
６    前板
７    前端部
８    弾性機構
９    ダンパー
１０    バネ
１１    Ｒ形状部
１２    テーパ形状部
１３    突片
１４    垂下片
１５    側板
１６    支持手段
１７    脚部
１８    ローラ
１９    ローラガイド
２０    傾斜面
２１    傾斜面
２２    当て部
２３    上部引出し
２４    地板部
２５    圧縮バネ
２６    軸
２７    邪魔板
２８    溝
２９    鉤部材
３０    長穴部材
３１    停止部材
３２    磁石
３３    磁性片
３４    リードスイッチ
３５    磁石
３６    コロ
３７    マグネットキャッチ
３８    バネ
【図１】
2005034616.tif 000003
【図２】
2005034616.tif 000004
【図３】
2005034616.tif 000005
【図４】
2005034616.tif 000006
【図５】
2005034616.tif 000007
【図６】
2005034616.tif 000008
【図７】
2005034616.tif 000009
【図８】
2005034616.tif 000010
【図９】
2005034616.tif 000011
【図１０】
2005034616.tif 000012
【図１１】
2005034616.tif 000013
【図１２】
2005034616.tif 000014
【図１３】
2005034616.tif 000015
【図１４】
2005034616.tif 000016
【図１５】
2005034616.tif 000017
【図１６】
2005034616.tif 000018
【図１７】
2005034616.tif 000019
【図１８】
2005034616.tif 000020
【図１９】
2005034616.tif 000021
【図２０】
2005034616.tif 000022
【図２１】
2005034616.tif 000023
【図２２】
2005034616.tif 000024
【図２３】
2005034616.tif 000025
【図２４】
2005034616.tif 000026
【図２５】
2005034616.tif 000027
【図２６】
2005034616.tif 000028
【図２７】
2005034616.tif 000029